(57)【要約】【課題】ロール製品を多数収容でき、収容、取り出しが容易で、効率よく回収が行え、強度や剛性を向上させたロール製品用ラックを提供する。【解決手段】分離可能な下段ラック枠部２００及び上段ラック枠部３００とにロール製品を収容し、対向する枠部材を斜めに配置した連結棒４１０により連結する。連結棒４１０は、脚部１３０の平面長手方向の長さ程度の長さにしておくことにより、折り畳んだ時に折り畳んだラック内に収容することができる。下段ラックのロールを扱う時は上段ラックは取り外しておけばよく、ロール製品を容易に複数段に収容できる。また、斜めの連結棒を入れることで強度や剛性が増加する。【選択図】  図１
2008056304.tif 000002
【特許請求の範囲】
【請求項１】
ロール製品を収容するロール製品用ラックであって、
前記ロール製品を収容する空間の下面を規定する脚部と、
前記ロール製品を収容する時に前記脚部上に対向して立設され、前記ロール製品を収容しない時は各々前記脚部上に倒置される一対の枠部材であって、対向する位置に前記ロール製品の支管を受ける支管受け部が具備されている１対の下段ラック枠部と、
前記ロール製品を収容する時は前記下段ラック枠部上に連結されて対向して設置され、前記ロール製品を収容しない時は前記下段ラック枠部から離脱されて前記脚部上に倒置された前記下段ラック枠部上に載置される一対の枠部材であって、対向する位置に前記ロール製品の支管を受ける支管受け部が具備されている１対の上段ラック枠部と、
対向して配置される前記下段ラック枠部と前記上段ラック枠部とが連結された一対の枠部材の一方の枠部材又は当該枠部材が立設された前記脚部の側縁部と、前記連結された一対の枠部材の他方の枠部材又は当該枠部材が立設された前記脚部の側縁部とを連結する着脱可能な棒状部材であって、前記連結時には、前記一方の前記枠部材、及び、高さの異なる前記他方の前記枠部材又は前記脚部の前記側縁部、を連結するように、前記支管の軸方向に対して傾斜した方向に配設される連結部材と、
を有することを特徴とするロール製品用ラック。
【請求項２】
前記脚部上に前記一対の下段ラック枠部が倒置され、前記倒置された前記下段ラック枠部上に前記下段ラック枠部から離脱された前記１対の上段ラック枠部が載置された折り畳まれた状態において、複数の当該折り畳まれたロール製品用ラックを位置ずれが生じないように係合させて順次積み重ねるための係合部を有することを特徴とする請求項１に記載のロール製品用ラック。
【請求項３】
前記脚部が設置されるパレットと、
前記対向する上段ラック枠部により形成される前記ロール製品を収容する空間の上面を被覆する蓋部材と、
をさらに有することを特徴とする請求項１に記載のロール製品用ラック。
【請求項４】
前記蓋部材は、前記脚部上に前記一対の下段ラック枠部が倒置され、前記倒置された前記下段ラック枠部上に前記下段ラック枠部から離脱された前記１対の上段ラック枠部が載置された折り畳まれたロール製品用ラックの上面を被覆するように構成されており、
前記パレット上に載置されて前記蓋部材により被覆された前記折り畳まれた状態のロール製品用ラックを、位置ずれが生じないように係合させて順次積み重ねるための係合部を有することを特徴とする請求項３に記載のロール製品用ラック。
【発明の詳細な説明】
【技術分野】
【０００１】
本発明は、プラスチックフィルムやラミネートフィルムなどのロール製品の搬送や保管等に用いて好適なロール製品用ラックに関し、特に、多数のロール製品を収容して搬送や保管等をすることができ、また、空のラックの回送を効率よく行うことのできるロール製品用ラックに関する。
【背景技術】
【０００２】
プラスチックフィルムやラミネートフィルムなどのロール製品の搬送に際しては、ロール製品を傷つけないために、ロール製品の両端部から突出している支管（支軸）を支持してラックやコンテナ等に収容する場合が多い（例えば、特許文献１参照）。支管を適切に保持する手段としては、引用文献１にも開示されているように、受け部に支管を嵌入させて支管の下面及び両側等を支持させ、その支管を押え部材により押えるという形態が一般的に知られている。
【特許文献１】特開２００２−２０５７８９号公報
【０００３】
ところで、ロール製品を収容するこのようなラックを含め、所望の収容物を収容するラックやコンテナにおいては、近年、特に、収容物を安全に収容して搬送等をすることに加えて、搬送効率の向上や輸送コストの削減等に寄与することが求められている。そのためには、例えば、多量の収容物を一度に収容して搬送することのできるようなラックやコンテナや、搬送が終了して回収する際に側壁や支柱を分解して容量を小さくできるようにした組み立て式あるいは折り畳み式のラックやコンテナ等を用いることが考えられる。これらの要望は、ロール製品を搬送するためのラックやコンテナについても同様である。
【発明の開示】
【発明が解決しようとする課題】
【０００４】
しかしながら、ロール製品を収容し搬送等するためのラックにおいて、多数のロール製品を収容できるようなラックを提供すること、あるいは、回収の際には容積を小さくして効率よく回収ができるような折り畳み式のラックとしてそのような多数のロール製品を収容できるようなラックを提供することについては、いくつかの課題があり、そのような好適なラックはこれまでに実現されていない。
【０００５】
例えば、多数のロール製品をラックに収容する場合には、ロール製品を、水平方向及び鉛直方向に並べて収容する必要がある。しかしながら、ロール製品を鉛直方向に並べて収容できるようにするには困難な点がある。前述したように支管をラックの枠部材に設けられた受け部により受けてロール製品を保持収容する形態のラックにおいては、枠部材の間隔あるいは受け部の間隔を収容しようとするロール製品の支管の長さよりも短く構成する必要がある。しかし、そのような構成において、単純に支管の受け部を枠部材の水平方向及び鉛直方向に並べて複数設置すると、下側の受け部には、それより上側に配置される枠部材や受け部が障害となってロール製品の収容や取り出しができないことになる。
【０００６】
このような事態を避けるためには、支管を受ける受け部の構成を工夫したり、支管の投入方向を変更したり、枠部材の間隔を長く保ったり、あるいは、ロール製品を斜めに傾けて投入したりする等の方策が考えられる。しかしながら、そのような方策は、受け部の構成を複雑にしてラックの重量が増加したり、受け部や押え部材の不具合が生じ易くなったり、支持可能なロール製品の重量が制限されたり、ラックの容積が増加したり、あるいはまた、ロール製品をラックに投入する装置の構成が複雑になったりする等の課題が生じ適切ではない。
すなわち、ラックの構成としては、ロール製品を上方から投入してその支管を受け部に落とし込み、押え部により支管を押えてこれを支持することによりロール製品が収容されるという基本的な構成が望ましく、そのような構成であるが故に、ロール製品を鉛直方向に複数並べて配置できるような構成とすることは困難である。
【０００７】
また、前述したように、ロール製品用ラックにおいても、回収時にはこれを折り畳んで容積を小さくして回収することが望まれるが、そのような組み立て式、あるいは、折り畳み式のラックは、その強度、剛性を強くすることが難しいという問題がある。重いロール製品や大きなロール製品を収容搬送する際には、製品を安全に適切に搬送するために、ラックには相当の強度や剛性が求められるが、枠部材により主に構成されるロール製品用ラックであって、特にそれを折り畳み式あるいは組み立て式とした時には、強度や剛性の向上が難しいという問題があり、折り畳み式であっても強度、剛性を強化できるような構造のロール製品用ラックが要望されている。
【０００８】
本発明はこのような課題に鑑みてなされたものであって、その目的は、ロール製品を複数段に容易に収容可能で、もって多数の製品を効率よく収容することができ、回収時の効率がよいように折り畳み式であって、かつ、強度や剛性が向上するようなロール製品用ラックを提供することにある。
【課題を解決するための手段】
【０００９】
上記目的を達成するために、本発明に係るコンテナは、ロール製品を収容するロール製品用ラックであって、前記ロール製品を収容する空間の下面を規定する脚部と、前記ロール製品を収容する時に前記脚部上に対向して立設され、前記ロール製品を収容しない時は各々前記脚部上に倒置される一対の枠部材であって、対向する位置に前記ロール製品の支管を受ける支管受け部が具備されている１対の下段ラック枠部と、前記ロール製品を収容する時は前記下段ラック枠部上に連結されて対向して設置され、前記ロール製品を収容しない時は前記下段ラック枠部から離脱されて前記脚部上に倒置された前記下段ラック枠部上に載置される一対の枠部材であって、対向する位置に前記ロール製品の支管を受ける支管受け部が具備されている１対の上段ラック枠部と、対向して配置される前記下段ラック枠部と前記上段ラック枠部とが連結された一対の枠部材の一方の枠部材又は当該枠部材が立設された前記脚部の側縁部と、前記連結された一対の枠部材の他方の枠部材又は当該枠部材が立設された前記脚部の側縁部とを連結する着脱可能な棒状部材であって、前記連結時には、前記一方の前記枠部材、及び、高さの異なる前記他方の前記枠部材又は前記脚部の前記側縁部、を連結するように、前記支管の軸方向に対して傾斜した方向に配設される連結部材と、を有する。
【００１０】
好適には、前記脚部上に前記一対の下段ラック枠部が倒置され、前記倒置された前記下段ラック枠部上に前記下段ラック枠部から離脱された前記１対の上段ラック枠部が載置された折り畳まれた状態において、複数の当該折り畳まれたロール製品用ラックを位置ずれが生じないように係合させて順次積み重ねるための係合部を有する。
【００１１】
また好適には、前記脚部が設置されるパレットと、前記対向する上段ラック枠部により形成される前記ロール製品を収容する空間の上面を被覆する蓋部材と、をさらに有する。
【００１２】
さらに好適には、前記蓋部材は、前記脚部上に前記一対の下段ラック枠部が倒置され、前記倒置された前記下段ラック枠部上に前記下段ラック枠部から離脱された前記１対の上段ラック枠部が載置された折り畳まれたロール製品用ラックの上面を被覆するように構成されており、前記パレット上に載置されて前記蓋部材により被覆された前記折り畳まれた状態のロール製品用ラックを、位置ずれが生じないように係合させて順次積み重ねるための係合部を有する。
【発明の効果】
【００１３】
本発明によれば、ロール製品を複数段に容易に収容可能で、もって多数の製品を効率よく収容することができ、回収時の効率がよいように折り畳み式であって、かつ、強度や剛性が向上するようなロール製品用ラックを提供することができる。
【発明を実施するための最良の形態】
【００１４】
本発明の一実施形態のロール製品用ラックについて、図１〜図５を参照して説明する。
図１は、本実施形態のロール製品用ラック１００の全体構成を示す斜視図であり、図２は、ロール製品用ラック１００の正面図であり、図３は、ロール製品用ラック１００の側面図である。
なお、図２及び図３においては、理解を容易にするために、パレット１１０を、ラック本体１２０及び蓋部材４００から離した状態で示している。
また、図２においては、ロール製品用ラック１００に収容されたロール製品８００を１点鎖線で示し、図３においては、ロール製品用ラック１００に収容されたロール製品８００の支管８１０を２点鎖線で示している。
また、図４は、ロール製品用ラック１００のラック本体１２０を折り畳んで段積みした状態を示す図であり、図５は、ラック本体１２０を折り畳んでパレット１１０及び蓋部材４００とともに段積みした状態を示す図である。
【００１５】
まず、ロール製品用ラック１００の構成について説明する。
図１に示すように、ロール製品用ラック１００は、パレット１１０、ラック本体１２０及び蓋部材４００を有する。また、ラック本体１２０は、脚部１３０、下段ラック枠部２００、上段ラック枠部３００、及び、連結棒４１０及び４２０を有する。
【００１６】
パレット１１０は、ラック本体１２０の搬送台である。パレット１１０の側面にはフォークリフトの爪部が差し込まれるリフト用孔１１１が形成されている。また、パレット１１０の上面には、図２に示すように、ラック本体１２０の載置位置を規定する嵌合部１１３及び下金枠１１５が設置されている。嵌合部１１３には、ラック本体１２０がパレット１１０の上面において平面方向にずれることなく保持されるように、ラック本体１２０の脚部１３０の足部１３５が嵌合される。
また、パレット１１０の下面の４隅には、折り畳んだロール製品用ラック１００を順次段積みできるように、蓋部材４００の上面の４隅に設けられた嵌合用凸部４１７が嵌合するための、嵌合用切り欠き部１１７が形成されている。
なお、本実施形態において、パレット１１０は樹脂製である。
【００１７】
ラック本体１２０の脚部１３０は、ラック本体１２０の最下部を構成する支持部である。脚部１３０は、ラック本体１２０の底面、すなわちロール製品を収容する空間の底面（下面）を規定する枠部材１３１と、この枠部材１３１をラック本体１２０の載置面から所定の距離離して上方に保持する支柱１３３と、枠部材１３１の対向する一組の辺を各々支持する逆Ｔ字支持部１３４と、パレット１１０上の嵌合部１１３に嵌合する足部１３５とを有する。
【００１８】
枠部材１３１は、ラック本体１２０に収容するロール製品の長さや太さ、及び、平面方向に並べて配置するロール製品の本数等に応じた任意の平面形状を有し、枠部材１３１の形状によりラック本体１２０の平面形状も規定される。本実施形態において、ロール製品は同一平面内に２本並べて収容するものとし、ラック本体１２０の平面形状は、収容するロール製品の軸方向に垂直な方向（正面側の周縁方向）を長手方向、ロール製品の軸方向に平行な方向（側面側の周縁方向）を短手方向とする長方形形状である。
【００１９】
支柱１３３は、断面Ｌ字の金属製柱状部材により構成される。
逆Ｔ字支持部１３４は、図２に示すように、ロール製品の両支管を支持する正面側及び正面側に対向する背面側の枠部材１３１の下側に設置される。
また、足部１３５は、支柱１３３の底面に設置された開口が形成された矩形部材であり、足部１３５の開口がパレット１１０の嵌合部１１３に嵌合することにより、脚部１３０は、パレット１１０の上で水平方向にずれることなく載置される。
【００２０】
支柱１３３は、後述するようなラック本体１２０を折り畳んだ状態において、すなわち、下段ラック枠部２００を脚部１３０上に倒し、その上に上段ラック枠部３００を載置した状態において、その上端が上段ラック枠部３００の上面よりもさらに高い位置に配置されるような長さに形成される。そして、上面に突出した支柱１３３の上端には、他のラック本体１２０の足部１３５が嵌合されるようになっている。従って、折り畳まれたパレット本体１２０は、図４に示すように、これのみで順次段積みすることができるようになっている。
【００２１】
また支柱１３３には、その上部に下段ラック枠部２００が装着され、これを回動自在に支持する。
脚部１３０には、図１あるいは図３に示すように、隣接する２本の支柱１３３に支持されて、２つの下段ラック枠部２００が対向するように装着される。これら２つの下段ラック枠部２００は、各々、図３に示すように支柱１３３に対して立設された状態、及び、ラック本体１２０の内部方向（図１及び図３に矢印Ａで示す方向）に倒されて、図４に示すように脚部１３０の上面に平坦に載置された状態の、いずれかの形態を取り得るように、支柱１３３に対して装着される。
【００２２】
そのために、脚部１３０の支柱１３３の各々には、図３に示すように、下段ラック枠部２００の支柱に設けられたピン（嵌合ピン２１２）が嵌合されて、所定の範囲の移動を案内しながらこれを保持する開口部１３７、及び、下段ラック枠部２００が立設される場合に下段ラック枠部２００を立設した状態で維持するために、下段ラック枠部２００の側面に設けられた凸部２１３が係合される切り欠き部１３９が設けられている。
【００２３】
開口部１３７は、断面Ｌ字の各支柱１３３の、下段ラック枠部２００の回動軸に垂直な板面に設けられている。図示のごとく、開口部１３７は、その板面内において上下方向に長く延伸し、また、その上部においてラック本体１２０の内側方向に曲がったような形状に形成される。なお、この開口部１３７の幅は、下段ラック枠部２００に設けられたピン２１２が移動可能に嵌入される幅があればよい。
【００２４】
また、切り欠き部１３９は、支柱１３３の開口部１３７と同じ板面の上縁をＶ字形状に切り欠いたものである。本実施形態において下段ラック枠部２００の支柱側面には、図３に示すように、平面形状がＶ字形状の凸部（係止凸部２１３）が下向き（下段ラック枠部２００が立設された場合にＶ字の先端部が下向きとなる向き）に設けられており、脚部１３０の支柱１３３の切り欠き部１３９は、下段ラック枠部２００が支柱１３３に沿って立設された場合に、この掛止凸部２１３に係合するように形成されている。
【００２５】
すなわち、下段ラック枠部２００が支柱１３３に立設される場合には、下段ラック枠部２００のピン２１２が開口部１３７の最下部にまで移動するように下段ラック枠部２００が支柱１３３に対して落とし込まれる。この状態で、下段ラック枠部２００の支柱に設けられた凸部２１３（Ｖ字に突出した形状）は、支柱１３３の切り欠き部１３９（Ｖ字に切り欠かれた形状）と噛合うこととなる。その結果、この状態で下段ラック枠部２００は回動不能になり、脚部１３０上に立設された状態に維持される。
【００２６】
また、下段ラック枠部２００を倒して、これを脚部１３０の上面に平坦に載置する場合には、下段ラック枠部２００を支柱１３３に対して持ち上げる。すると、下段ラック枠部２００のピン（嵌合ピン２１２）は支柱１３３の開口部１３７の上部に移動する。開口部１３７は、その上部において内側に曲がっているため、下段ラック枠部２００のピンが開口部１３７の上部に移動すると、これに案内されて下段ラック枠部２００の支柱は脚部１３０の支柱１３３の背面から離れた状態となり、下段ラック枠部２００は脚部１３０の支柱１３３と干渉せずに回動可能な状態となる。また、下段ラック枠部２００が支柱１３３に対して持ち上げられることにより、下段ラック枠部２００の支柱に設けられた係止凸部２１３（Ｖ字に突出した形状）と支柱１３３の切り欠き部１３９（Ｖ字に切り欠かれた形状）との噛合いが開放され、下段ラック枠部２００は支柱１３３に対してなんらその移動（回動）を制限されなくなる。そして、このような状態で下段ラック枠部２００を内側に倒すことにより、例えば図４に示すように、下段ラック枠部２００は、脚部１３０の上面に平坦に載置される。
【００２７】
また、脚部１３０には、ラック本体１２０を折り畳む場合に、不要となる連結棒４１０及び４２０を保持する連結棒保持部１４１及び１４３が具備される。
本実施形態のロール製品用ラック１００においては、ロール製品を収容する際には、図１及び図３に示すように、脚部１３０の対辺上に対向配置される枠部材（下段ラック枠部２００と上段ラック枠部３００とを上下に連結したもの。以下同じ。）を、連結棒４１０及び４２０により連結している。連結棒４１０は、一方の枠部材の上部（上段ラック枠部３００）と、他方の枠部材の下部（下段ラック枠部２００の下部）又は他方の枠部材が立設されている脚部の支柱とを連結するように、水平方向に対して斜めに設置される。本実施形態において、連結棒４１０は、一方の枠部材の上段ラック枠部３００と、他方の枠部材が立設されている脚部１３０の支柱１３３とを連結している。
また、連結棒４２０は、対向する枠部材の両方の最上部付近を連結するように、水平に設置される。
【００２８】
ラック本体１２０を折り畳む場合、連結棒４１０は、ラック本体１２０の正面側に設置される連結棒保持部１４１により、ラック本体１２０の正面側において脚部１３０に装着される。連結棒４１０は、ラック本体１２０の側面側に斜めに装着されるものであるため、その長さはラック本体１２０の側面側の辺の長さよりも長く、仮にこれを脚部１３０の側面側に装着しようとすると、連結棒４１０が枠部材１３１よりも突出した状態となるが、ラック本体１２０は側面側よりも正面側の方が長いので、正面側であれば、連結棒４１０を脚部１３０の枠部材１３１の範囲内に装着することができる。換言すれば、その範囲内に装着できるように、連結棒４１０の長さ、あるいは、ラック本体１２０の平面形状を決めることが好ましい。
【００２９】
また、連結棒４２０は、ラック本体１２０の側面側に設置される連結棒保持部１４３により、ラック本体１２０の側面側において、脚部１３０に装着される。連結棒４２０は、ラック本体１２０の側面側に水平に装着されるものであるため、その長さはラック本体１２０の側面側の辺の長さとほぼ同じであり、これを枠部材１３１に装着したとしても、枠部材１３１の範囲内に装着することができる。
【００３０】
下段ラック枠部２００は、ラック本体１２０の下段においてロール製品の支管を支持し保持する枠部材である。
下段ラック枠部２００は、支柱２１０、嵌合ピン２１２、係止凸部２１３、接続支柱２１４、支柱受け部２１５（以上、図３参照）、支管受け支持部２１６、支管受け部２１８、支管押え部２２０及び連結棒差し込み部２２２（以上、図１参照）を有する。
【００３１】
下段ラック枠部２００は、２本の支柱２１０の間に支管受け支持部２１６が配設され、支管受け支持部２１６の途中に支管受け部２１８が配置された構成である。図示のごとく、本実施形態の下段ラック枠部２００には、２つの支管受け部２１８が配設される。
支管受け部２１８は、収容するロール製品の支管の径に合わせた所定の径のＵ字溝である。支管受け部２１８の上部は開放された状態となっており、ここからロール製品の支管が支管受け部２１８に落とし入れられる。各支管受け部２１８には、挿入された支管が支管受け部２１８から外れないようにこれを押える支管押え部２２０が設けられている。
【００３２】
下段ラック枠部２００の支柱２１０の下部には、嵌合ピン２１２が配設されており、これが脚部１３０の開口部１３７に嵌入されることにより、下段ラック枠部２００は、脚部１３０に回動自在に配設される。
また、下段ラック枠部２００の支柱２１０の中央付近には、係止凸部２１３が設けられており、これが脚部１３０の切り欠き部１３９に係合されることにより、下段ラック枠部２００は傾倒不能に脚部１３０に立設されることになる。
これら嵌合ピン２１２及び係止凸部２１３を介した下段ラック枠部２００の立設方法については、脚部１３０の説明の際に前述したので、ここでは説明を省略する。
【００３３】
支柱２１０の上部には、上段ラック枠部３００と結合されるための機構としての接続支柱２１４及び支柱受け部２１５が設けられている。
本実施形態において、支柱２１０は、断面正方形の管状（筒状）部材であり、接続支柱２１４は、円柱状（棒状）部材である。接続支柱２１４は、支柱２１０に内接し、支柱２１０の上端より所定の長さ上方に突き出るように、支柱２１０に固設される。
また、支柱受け部２１５は、支柱２１０が内接するような、支柱２１０より一回り大きな断面正方形の管状（筒状）部材であり、支柱２１０の上端より所定の長さ上方に出て、支柱２１０の上端部の周縁を囲むように固設される。支柱受け部２１５は、支柱２１０の上端部に溶接等により設置される。
【００３４】
このように接続支柱２１４及び支柱受け部２１５が装着された支柱２１０に対して、上段ラック枠部３００の支柱３１０の下端部が継合され、上段ラック枠部３００と下段ラック枠部２００とが連結される。すなわち、支柱２１０と同じ断面正方形の管状部材である上段ラック枠部３００の支柱３１０の下端に接続支柱２１４が嵌入され、同時に、支柱受け部２１５で囲まれた部分に支柱３１０が嵌入され、上段ラック枠部３００の支柱３１０は、接続支柱２１４と支柱受け部２１５との間で挟み込まれた状態とされ、支柱２１０と支柱３１０が継合される。
【００３５】
また、下段ラック枠部２００の支柱２１０が設置されている脚部１３０の支柱１３３の一方の側面下方には、図１及び図３に示すように、連結棒４１０を差し込むための連結棒差し込み部２２２が設置されている。連結棒４１０の一方の端部が連結棒差し込み部２２２に差し込まれ、他方の端部が後述する上段ラック枠部３００の連結棒差し込み部３２２に差し込まれることにより、各々連結されて対向配置された枠部材及び脚部が一体的に連結され、ラック本体１２０全体が頑丈になり剛性が高まる。
【００３６】
このような構成の下段ラック枠部２００が、脚部１３０の対辺に対向配置されることにより、２つの支管受け部２１８も各々対向して配置されることとなり、収容対象のロール製品の支管の両端をこれにより支持する。
【００３７】
上段ラック枠部３００は、ラック本体１２０の上段においてロール製品の支管を支持し保持する枠部材である。
上段ラック枠部３００は、図１に示すように、支柱３１０、支管受け支持部３１６、支管受け部３１８、支管押え部３２０、及び、連結棒差し込み部３２２及び３２４を有する。
【００３８】
上段ラック枠部３００も、下段ラック枠部２００と同様に、２本の支柱３１０の間に支管受け支持部３１６が配設され、支管受け支持部３１６の途中に支管受け部３１８が配置された構成である。本実施形態の上段ラック枠部３００には、２つの支管受け部３１８が配設される。支管受け部３１８は、収容するロール製品の支管の径に合わせた所定の径のＵ字溝であり、上部からロール製品の支管が支管受け部３１８に落とし入れられ、挿入された支管が支管受け部３１８から外れないように支管押え部３２０により上方が閉塞される。
【００３９】
上段ラック枠部３００は、下段ラック枠部２００の上に連結されることにより、下段ラック枠部２００の上方においてロール製品を収容保持する。
上段ラック枠部３００の支柱３１０は、下段ラック枠部２００の支柱２１０と同じ断面形状を有する部材である。すなわち、断面正方形の筒状部材である。前述したように、この支柱３１０を、下段ラック枠部２００の接続支柱２１４と支柱受け部２１５との間に嵌入することにより、すなわち下段ラック枠部２００の接続支柱２１４が上段ラック枠部３００の支柱３１０に嵌入され、上段ラック枠部３００の支柱３１０が下段ラック枠部２００の支柱受け部２１５に嵌入されることにより、上段ラック枠部３００と下段ラック枠部２００とは連結される。
【００４０】
また、上段ラック枠部３００の支柱３１０の一方の側面中央付近には、連結棒４１０を差し込むための連結棒差し込み部３２２が設置されている。連結棒４１０の一方の端部が、前述したように、下段ラック枠部２００が設置されている脚部１３０の支柱１３３の連結棒差し込み部２２２に差し込まれ、他方の端部がこの上段ラック枠部３００の連結棒差し込み部３２２に差し込まれることにより、各々連結されて対向配置された枠部材が脚部とともに一体的に連結され、ラック本体１２０全体が頑丈になり剛性が高まる。
【００４１】
また、上段ラック枠部３００の支柱３１０の両側面の上端部付近には、連結棒４２０を差し込むための連結棒差し込み部３２４が設置されている。前述したように、連結棒４２０の一方の端部が一方の上段ラック枠部３００の連結棒差し込み部３２４に差し込まれ、他方の端部が他方の上段ラック枠部３００の連結棒差し込み部３２４に差し込まれることにより、対向する上段ラック枠部３００の両側上端部が各々連結され、ラック本体１２０全体が頑丈になり剛性が高まる。
【００４２】
そして、このような構成の上段ラック枠部３００が、下段ラック枠部２００と同様に対向配置されることにより、上段ラック枠部３００の２つの支管受け部３１８も各々対向して配置されることとなり、収容対象のロール製品の支管の両端をこれにより支持する。
【００４３】
連結棒４１０及び４２０は、前述したように、各々連結されて対向配置された枠部材（下段ラック枠部２００と上段ラック枠部３００との連結されたもの）を連結する（それら枠部材が設置されている脚部を介して連結される場合を含む）棒状部材である。連結棒４１０及び４２０は、各々、その両端部において僅かな長さだけ直角に折り曲げられており、この折り曲げられた部分が、連結棒差し込み部２２２，３２２及び３２４、あるいは、連結棒保持部１４１及び１４３に挿入され、連結棒４１０及び４２０が所望の箇所に装着される。
【００４４】
具体的には、連結棒４１０は、上段ラック枠部３００の支柱３１０の側面中央付近に設けられた連結棒差し込み部３２２と、下段ラック枠部２００の支柱２１０が設置されている脚部１３０の支柱１３３の側面に設けられた連結棒差し込み部２２２とに両端が各々差し込まれ、対向配置される枠部材を脚部を介して斜めに連結する。
また、連結棒４２０は、上段ラック枠部３００の支柱３１０の各側面の上端部付近に設けられた連結棒差し込み部３２４に各々両端が差し込まれ、対向配置される枠部材の上端部を連結する。
いずれの場合も、ラック本体１２０全体が頑丈になり剛性が高まる。
【００４５】
また、下段ラック枠部２００が折り畳まれる場合には、連結棒４１０は脚部１３０の連結棒保持部１４１に保持され、連結棒４２０は脚部１３０の連結棒保持部１４３に保持される。
【００４６】
蓋部材４００は、脚部１３０上のロール製品を収容する空間の上方開口を被覆する板状部材である。蓋部材４００は、ロール製品用ラック１００がロール製品を収容する際には、上段ラック枠部３００の４本の支柱３１０の上端に４隅を掛止されて、ロール製品収容空間の上方開口を被覆する。
【００４７】
また、蓋部材４００は、ロール製品用ラック１００が折り畳まれている時には、脚部１３０の４本の支柱１３３の上端に４隅を掛止されて、折り畳まれたロール製品用ラック１００の上面を被覆する。蓋部材４００の上面の４隅には、パレット１１０の下面の４隅に形成された嵌合用切り欠き部１１７と掛止されて相互にずれないようにする嵌合用凸部４１７が形成されている。従って、パレット１１０上でラック本体１２０が折り畳まれてさらに蓋部材４００で被覆されたロール製品用ラック１００は、図５に示すように、順次段積みが可能な構成となっている。
【００４８】
このような構成のロール製品用ラック１００の使用形態について、まとめて説明する。
ロール製品用ラック１００にロール製品を収容する際には、まず、脚部１３０をパレット１１０上に載置し、次に、脚部１３０の支柱１３３に回動可能に装着されている２つの下段ラック枠部２００を、各々脚部１３０上に立設させる。そのためには、下段ラック枠部２００の全体を脚部１３０の開口部１３７に嵌合されている嵌合ピン２１２を回転軸として回転させて垂直に起こし、支柱１３３に対して支柱２１０が垂直になった時点で、下段ラック枠部２００を脚部１３０に落とし込む。
【００４９】
その結果、下段ラック枠部２００の嵌合ピン２１２が脚部１３０の開口部１３７に案内されて、下段ラック枠部２００の支柱２１０は、脚部１３０の支柱１３３に密着されながら下方に移動される。そして、下段ラック枠部２００の係止凸部２１３のＶ字凸形状が、脚部１３０の支柱１３３の上端の切り欠き部１３９に係合し、下段ラック枠部２００は、引き上げない限り回動不能な状態となる。
【００５０】
このようにして、下段ラック枠部２００が脚部１３０に立設されたら、下段のラックに、ロール製品を収容する。すなわち、ロール製品の支管の両側端部を、対向する下段ラック枠部２００の支管受け部２１８に各々挿入し、各々支管押え部２２０で支管を押えて固定する。
【００５１】
下段ラックにロール製品を収容したら、上段ラックを組み立てる。すなわち、上段ラック枠部３００を下段ラック枠部２００に連結する。具体的には、上段ラック枠部３００の支柱３１０の下端部を、下段ラック枠部２００の支柱２１０の上端に設置されている接続支柱２１４及び支柱受け部２１５に嵌合させて、下段ラック枠部２００と上段ラック枠部３００とを結合する。この状態で、上段ラック枠部３００と下段ラック枠部２００とは一体的に十分な強度で脚部１３０上に立設された状態となる。
【００５２】
上段ラック枠部３００が下段ラック枠部２００上に立設されたら、上段のラックにロール製品を収容する。すなわち、ロール製品の支管の両側端部を、対向する上段ラック枠部３００の支管受け部３１８に各々挿入し、各々支管押え部３２０で支管を押えて固定する。
【００５３】
上段ラックにもロール製品を収容したら、連結棒４１０及び４２０を装着する。すなわち、連結棒４１０の両端部を、上段ラック枠部３００の支柱３１０の側面に設けられた連結棒差し込み部３２２と、下段ラック枠部２００の支柱２１０が設置されている脚部１３０の支柱１３３の側面に設けられた連結棒差し込み部２２２とに差し込み、対向配置される枠部材を斜めに連結する。また、連結棒４２０の両端部を、上段ラック枠部３００の支柱３１０の各側面の上端部に設けられた連結棒差し込み部３２４に各々差し込み、対向配置される枠部材の上端部を連結する。
【００５４】
そして最後に、ロール製品の収容されたラック本体１２０の上面を、蓋部材４００で被覆し、このようにしてロール製品が収容されたロール製品用ラック１００は、搬送等に供される。
なお、上述した使用形態中で、上段ラック枠部３００の設置後の、ロール製品の収容と連結棒４１０及び４２０の装着とは、いずれを先にやってもよい。ロール製品を収容するに際して連結棒４１０及び４２０が邪魔にならないのであれば、連結棒４１０及び４２０を先に装着するようにしてよい。
【００５５】
このようにしてロール製品を搬送等したら、搬送先においては、まず、蓋部材４００を取り外し、さらに、連結棒４１０及び４２０を取り外す。取り外した連結棒４１０及び４２０は、脚部１３０に具備された連結棒保持部１４１及び１４３に装着しておく。
そして、上段ラックより、ロール製品を取り出す。
上段ラックよりロール製品を取り出したら、上段ラック枠部３００を下段ラック枠部２００から取り外し、次に、下段ラックよりロール製品を取り出す。
そして、下段ラックからもロール製品を取り出したら、ロール製品用ラック１００を回送するために、空のロール製品用ラック１００を折り畳む。
【００５６】
ロール製品用ラック１００を折り畳むには、まず、下段ラック枠部２００を脚部１３０上に倒す。そのためには、下段ラック枠部２００を上面に引き上げて、脚部１３０の開口部１３７の案内により下段ラック枠部２００の支柱２１０と脚部１３０の支柱１３３との間に間隙を作るとともに、支柱２１０の係止凸部２１３と支柱１３３の切り欠き部１３９との係合状態を開放する。これにより、下段ラック枠部２００は支柱１３３に対して回動自在となるので、下段ラック枠部２００を内側に倒すことが可能になる。
そして、倒した下段ラック枠部２００の上に、先に引き抜いていた上段ラック枠部３００を積み重ねて載置し、脚部１３０、下段ラック枠部２００及び上段ラック枠部３００を、ラッシングベルト５００等により一体的に束ねる。
【００５７】
これにより、ラック本体１２０は折り畳まれた状態となり、ラック本体１２０のみを回収する場合には、図４に示すように、ラック本体１２０のみを順次段積みすることができる。前述したように、脚部１３０の支柱１３３は、足部１３５を介して順次段積み可能な構成となっているので、ラック本体１２０のみをこのように段積みすることができる。
【００５８】
また、パレット１１０及び蓋部材４００をもラック本体１２０と一緒に回収する場合には、図５に示すように、パレット１１０の上に設置した、折り畳んだラック本体１２０の上に、蓋部材４００を装着し、蓋部材４００の上に次の（上の）ロール製品用ラック１００のパレット１１０を載置する。蓋部材４００に形成された嵌合用凸部４１７とパレット１１０の下面に形成された嵌合用切り欠き部１１７が嵌合されるので、これらのロール製品用ラック１００は外れることなく順次段積みされる。
そして、ラック本体１２０のみ、あるいは、ロール製品用ラック１００の全体を、折り畳んで段積みしたものは、例えば搬送元等に回送される。
【００５９】
このように、本実施形態のロール製品用ラック１００においては、下段ラック枠部２００及び上段ラック枠部３００とを用いて、ロール製品を上下方向にも複数段に収容できるようにしているので、多数のロール製品を効率よく搬送等することができる。
この際、上段ラック枠部３００は下段ラック枠部２００と分離できる構造となっているので、下段ラックにロール製品を収容する際、あるいは、下段ラックに収容されたロール製品を取り出す際に、上段ラック枠部３００が邪魔になることがなく、ロール製品の収容、取り出しを容易に行うことができる。その結果、ロール製品の収容、搬送等を効率よく行うことができる。
【００６０】
また、ロール製品用ラック１００においては、対向配置される枠部材（下段ラック枠部２００と上段ラック枠部３００とを結合したもの）及びこれを支持する脚部に対して、連結棒４１０を斜めに装着している。この結果、ラック本体１２０全体の剛性を高め、強度を高くすることができ、収容した製品を安全に搬送等することができる。
また、ロール製品用ラック１００は、平面形状が、ロール製品の軸方向に垂直な方向が長手方向となっており、連結棒４１０の装着される側面を短手方向としている。そして、ロール製品用ラック１００を折り畳んだ時等で連結棒４１０が不要な時には、連結棒４１０は、脚部１３０の長手方向に沿って装着保持するようにしている。従って、斜めにラックに装着するために通常より長めの棒状部材である連結棒４１０も、折り畳んだラック本体１２０から飛び出すことなく、すなわち、ラック本体１２０の範囲内に収めて収容保持することができる。従って、このような部材を使用しても、ロール製品用ラック１００の回収等を効率よく行うことができる。
【００６１】
なお、本発明は、上述した実施形態に限定されるものではなく、本発明の範囲内で種々に改変することができるものである。
【００６２】
例えば、本実施形態においては、上下２段にロール製品を収容するラックを例示したが、被収容物の収容段数は２段に限られるものではなく、３段以上であってもよい。上段ラック枠部３００に相当する部材を順次複数連結することにより、そのような３段以上にロール製品を収容することも可能である。
【００６３】
また、本実施形態において連結棒４１０は、上段ラック枠部３００の支柱３１０の側面中央付近に設けられた連結棒差し込み部３２２と、下段ラック枠部２００の支柱２１０が設置されている脚部１３０の支柱１３３の側面に設けられた連結棒差し込み部２２２とに両端が差し込まれてこれらを斜めに連結した。すなわち、下側の連結棒差し込み部２２２は脚部１３０の支柱１３３に設置されているため、連結棒４１０は、実際には一方の枠部材の上段ラック枠部３００と、他方の枠部材が設置された脚部１３０とを連結していた。
しかしながら、下側の連結棒指し込み部２２２を下段ラック枠部２００の支柱２１０に設置し、連結棒４１０により、実際に上段ラック枠部３００の支柱３１０と、下段ラック枠部２００の支柱２１０とを接続するようにしてもよい。下段ラック枠部２００は脚部１３０の支柱１３３に分離不能に設置されているので、そのような構成としても、本実施形態のように脚部１３０に連結棒４１０を装着したのと同様に、ラック本体１２０全体の剛性を高め、強度を高くすることができる。
【図面の簡単な説明】
【００６４】
【図１】図１は、本発明の一実施形態のロール製品用ラックの全体構成を示す斜視図である。
【図２】図２は、図１に示したロール製品用ラックの正面図である。
【図３】図３は、図２に示したロール製品用ラックの側面図である。
【図４】図４は、図１に示したロール製品用ラックのラック本体のみを折り畳んで段積みした状態を示す図である。
【図５】図５は、図１に示したロール製品用ラックの全体を折り畳んで段積みした状態を示す図である。
【符号の説明】
【００６５】
１００…ロール製品用ラック
１１０…パレット
１１１…リフト用孔
１１３…嵌合部
１１５…下金枠
１１７…嵌合用切り欠き部
１３０…脚部
１３１…枠部材
１３３…支柱
１３４…逆Ｔ字支持部
１３５…足部
１３７…開口部
１３９…切り欠き部
１４１、１４３…連結棒保持部
２００…下段ラック枠部
２１０…支柱
２１２…嵌合ピン
２１４…接続支柱
２１５…支柱受け卯
２１６…支管受け支持部
２１８…支管受け部
２２０…支管押え部
２２２…連結棒差し込み部
３００…上段ラック枠部
３１０…支柱
３１６…支管受け支持部
３１８…支管受け部
３２０…支管押え部
４００…蓋部材
４１７…嵌合用凸部
５００…ラッシングベルト
８００…ロール製品
８１０…支管（支軸）
【図１】
2008056304.tif 000003
【図２】
2008056304.tif 000004
【図３】
2008056304.tif 000005
【図４】
2008056304.tif 000006
【図５】
2008056304.tif 000007